【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
高性能コンピューティング環境におけるサブネット間パーティションをサポートするためのシステムであって、
１つ以上のマイクロプロセッサと、
第１のサブネットとを含み、前記第１のサブネットは、
複数のスイッチを含み、前記複数のスイッチは少なくともリーフスイッチを含み、前記複数のスイッチの各々は複数のスイッチポートを含み、前記第１のサブネットはさらに、
複数のホストチャネルアダプタを含み、前記複数のホストチャネルアダプタの各々は、少なくとも１つのホストチャネルアダプタポートを含み、前記第１のサブネットはさらに、
複数のエンドノードを含み、前記複数のエンドノードの各々は、前記複数のホストチャネルアダプタのうち少なくとも１つのホストチャネルアダプタに関連付けられており、前記第１のサブネットはさらに、
サブネットマネージャを含み、前記サブネットマネージャは、前記複数のスイッチおよび前記複数のホストチャネルアダプタのうちの１つの上で実行しており、前記第１のサブネットはさらに、
サブネット間マネージャを含み、前記サブネット間マネージャは、前記複数のスイッチおよび前記複数のホストチャネルアダプタのうちの１つの上で実行しており、前記第１のサブネットはさらに、
ファブリックマネージャを含み、前記ファブリックマネージャは高性能コンピューティング環境に常駐しており、
前記複数のスイッチのうちの１スイッチ上の前記複数のスイッチポートのうちの１スイッチポートはルータポートとして構成されており、
前記ルータポートとして構成された前記１スイッチポートは仮想ルータに論理的に接続されており、
前記ファブリックマネージャは、複数のパーティションキー（Ｐ＿Ｋｅｙ）値内のパーティションキー値の範囲を定義し、前記定義された範囲のパーティションキー値はサブネット間パーティション（ＩＳＰ）Ｐ＿Ｋｅｙ範囲を含み、
前記ファブリックマネージャは、前記ＩＳＰ  Ｐ＿Ｋｅｙ範囲を前記サブネットマネージャに通信する、システム。
【請求項２】
高性能コンピューティング環境におけるサブネット間パーティションをサポートするための方法であって、
１つ以上のマイクロプロセッサを含む１つ以上のコンピュータにおいて、第１のサブネットを提供するステップを含み、前記第１のサブネットは、複数のスイッチと、複数のホストチャネルアダプタと、複数のエンドノードと、サブネットマネージャと、サブネット間マネージャとを含み、
前記複数のスイッチは少なくともリーフスイッチを含み、前記複数のスイッチの各々は複数のスイッチポートを含み、
前記複数のホストチャネルアダプタの各々は少なくとも１つのホストチャネルアダプタポートを含み、
前記複数のエンドノードの各々は、前記複数のホストチャネルアダプタのうち少なくとも１つのホストチャネルアダプタに関連付けられており、
前記サブネットマネージャは、前記複数のスイッチおよび前記複数のホストチャネルアダプタのうちの１つの上で実行しており、
前記サブネット間マネージャは、前記複数のスイッチおよび前記複数のホストチャネルアダプタのうちの１つの上で実行しており、前記方法はさらに、
ファブリックマネージャを提供するステップを含み、前記ファブリックマネージャは高性能コンピューティング環境に常駐しており、
前記複数のスイッチのうち１スイッチ上において前記複数のスイッチポートのうち１スイッチポートをルータポートとして構成するステップと、
前記ルータポートとして構成された前記スイッチポートを仮想ルータに論理的に接続するステップとを含み、前記仮想ルータは少なくとも２つの仮想ルータポートを含み、前記方法はさらに、
前記ファブリックマネージャによって、複数のパーティションキー値内のパーティションキー（Ｐ＿Ｋｅｙ）値の範囲を定義するステップを含み、前記定義された範囲のパーティションキー値はサブネット間パーティション（ＩＳＰ）Ｐ＿Ｋｅｙ範囲を含み、前記方法はさらに、
前記ファブリックマネージャによって、前記ＩＳＰ  Ｐ＿Ｋｅｙ範囲を前記サブネットマネージャに通信するステップを含む、方法。
【請求項３】
前記サブネットマネージャによって、前記ルータポートとして構成された前記スイッチポートに前記ＩＳＰ  Ｐ＿Ｋｅｙ範囲内のＰ＿Ｋｅｙを割当てるステップをさらに含む、請求項２に記載の方法。
【請求項４】
前記１つ以上のマイクロプロセッサを含む前記１つ以上のコンピュータにおいて、第２のサブネットを提供するステップをさらに含み、前記第２のサブネットは、
前記第２のサブネットの複数のスイッチを含み、前記第２のサブネットの前記複数のスイッチは、前記第２のサブネットの少なくともリーフスイッチを含み、前記第２のサブネットの前記複数のスイッチの各々は、前記第２のサブネットの複数のスイッチポートを含み、前記第２のサブネットはさらに、
前記第２のサブネットの複数のホストチャネルアダプタを含み、前記第２のサブネットの前記複数のホストチャネルアダプタの各々は、前記第２のサブネットの少なくとも１つのホストチャネルアダプタポートを含み、前記第２のサブネットはさらに、
前記第２のサブネットの複数のエンドノードを含み、前記第２のサブネットの前記複数のエンドノードの各々は、前記第２のサブネットの前記複数のホストチャネルアダプタのうち前記第２のサブネットの少なくとも１つのホストチャネルアダプタに関連付けられており、前記第２のサブネットはさらに、
前記第２のサブネットのサブネットマネージャを含み、前記第２のサブネットの前記サブネットマネージャは、前記第２のサブネットの前記複数のスイッチおよび前記第２のサブネットの前記複数のホストチャネルアダプタのうちの１つの上で実行しており、前記第２のサブネットはさらに、
前記第２のサブネットのサブネット間マネージャを含み、前記第２のサブネットの前記サブネット間マネージャは、前記第２のサブネットの前記複数のスイッチおよび前記第２のサブネットの前記複数のホストチャネルアダプタのうちの１つの上で実行しており、前記方法はさらに、
前記第２のサブネットの別の複数のスイッチのうち１スイッチ上において、前記第２のサブネットの前記複数のスイッチポートのうち前記第２のサブネットの１スイッチポートを前記第２のサブネットのルータポートとして構成するステップと、
前記ファブリックマネージャによって、前記ＩＳＰ  Ｐ＿Ｋｅｙ範囲を前記第２のサブネットの前記サブネットマネージャに通信するステップとを含み、
前記第２のサブネットの前記ルータポートとして構成された前記第２のサブネットの前記１スイッチポートが前記第２のサブネットの仮想ルータに論理的に接続され、前記第２のサブネットの前記仮想ルータは、前記第２のサブネットの少なくとも２つの仮想ルータポートを含み、
前記第１のサブネットは、物理リンクを介して前記第２のサブネットと相互接続されている、請求項２または３に記載の方法。
【請求項５】
前記第２のサブネットの前記サブネットマネージャによって、前記ＩＳＰ  Ｐ＿Ｋｅｙ範囲内の第２のＰ＿Ｋｅｙを、前記第２のサブネットの前記ルータポートとして構成された前記第２のサブネットの前記１スイッチポートに割当てるステップをさらに含む、請求項４に記載の方法。
【請求項６】
前記サブネット間マネージャによって、前記物理リンクを介して、情報を、前記第２のサブネットの前記サブネット間マネージャと交換するステップをさらに含み、前記情報は前記ルータポートに割当てられた前記Ｐ＿Ｋｅｙを含み、さらに、
前記第２のサブネットの前記サブネット間マネージャによって、前記物理リンクを介して、前記第２のサブネットについての情報を前記サブネット間マネージャと交換するステップを含み、前記第２のサブネットについての前記情報は、前記第２のサブネットの前記ルータポートに割当てられた前記第２のＰ＿Ｋｅｙを含む、請求項５に記載の方法。
【請求項７】
前記第２のサブネットの前記サブネット間マネージャによって前記情報が交換されると、前記サブネットマネージャによって、前記ルータポートに割当てられた前記Ｐ＿Ｋｅｙと前記第２のサブネットの前記ルータポートに割当てられた前記第２のＰ＿Ｋｅｙとが同じであると判断するステップをさらに含む、請求項６に記載の方法。
【請求項８】
前記ルータポートに割当てられた前記Ｐ＿Ｋｅｙと、前記第２のサブネットの前記ルータポートに割当てられた前記第２のＰ＿Ｋｅｙとが同じであると判断すると、前記サブネットマネージャによって、前記第２のサブネットの前記ルータポートを介する前記第２のサブネットとのデータ通信を可能にするステップをさらに含む、請求項７に記載の方法。
【請求項９】
コンピュータシステムに請求項２から８のいずれか１項に記載の方法を実行させるためのコンピュータプログラム。